(57)【要約】【課題】スーツケースなどの手荷物の持ち手などにワイヤーを挿通して仮置保管する装置を用い、かつ、鍵や暗証番号の入力以外による施錠／開錠方法を採用して、空港などで利用者の時間面や操作面の利便性を高めるロッカー装置およびケース盗難防止装置を提供する。【解決手段】壁面に固定可能な装置本体に錠本体と指紋入力機器と指紋判定処理回路が設けられ、前記錠本体に錠止されるワイヤー端子を備えたワイヤーからなるワイヤー錠が、前記装置本体内の巻上げ機構により巻き上げられ前記装置本体に収納されており、初期状態が施錠された状態であり、前記指紋入力機器に指紋が入力され前記指紋判定処理回路で指紋が認識された場合に開錠されると同時に指紋登録され、施錠された後に前記指紋入力機器に再び指紋が入力され前記指紋判定処理回路で指紋登録された指紋と同一であると判定された場合に開錠される。【選択図】図１
0003129169.tif 000002
【実用新案登録請求の範囲】
【請求項１】
壁面に固定可能な装置本体に錠本体と指紋入力機器と指紋判定処理回路が設けられ、初期状態が施錠された状態であり、前記指紋入力機器に指紋が入力され前記指紋判定処理回路で指紋が認識された場合に開錠されると同時に指紋登録され、施錠された後に前記指紋入力機器に再び指紋が入力され前記指紋判定処理回路で指紋登録された指紋と同一であると判定された場合に開錠されることを特徴とするロッカー装置。
【請求項２】
壁面に固定可能な装置本体に錠本体と指紋入力機器と指紋判定処理回路が設けられ、初期状態が開錠された状態であり、前記指紋入力機器に指紋が入力され前記指紋判定処理回路で指紋が認識された場合に指紋登録され、施錠された後に前記指紋入力機器に再び指紋が入力され前記指紋判定処理回路で指紋登録された指紋と同一であると判定された場合に開錠されることを特徴とするロッカー装置。
【請求項３】
壁面に固定可能な装置本体に錠本体と指紋入力機器と指紋判定処理回路が設けられ、前記錠本体に錠止されるワイヤー端子を備えたワイヤーからなるワイヤー錠が、前記装置本体内の巻上げ機構により巻き上げられ前記装置本体に収納されており、初期状態が施錠された状態であり、前記指紋入力機器に指紋が入力され前記指紋判定処理回路で指紋が認識された場合に開錠されると同時に指紋登録され、施錠された後に前記指紋入力機器に再び指紋が入力され前記指紋判定処理回路で指紋登録された指紋と同一であると判定された場合に開錠されることを特徴とするケース盗難防止装置。
【請求項４】
壁面に固定可能な装置本体に錠本体と指紋入力機器と指紋判定処理回路が設けられ、前記錠本体に錠止されるワイヤー端子を備えたワイヤーからなるワイヤー錠が、前記装置本体内の巻上げ機構により巻き上げられ前記装置本体に収納されており、初期状態が開錠された状態であり、前記指紋入力機器に指紋が入力され前記指紋判定処理回路で指紋が認識された場合に指紋登録され、施錠された後に前記指紋入力機器に再び指紋が入力され前記指紋判定処理回路で指紋登録された指紋と同一であると判定された場合に開錠されることを特徴とするケース盗難防止装置。
【請求項５】
施錠された後に前記指紋入力機器に再び指紋が入力され前記指紋判定処理回路で指紋登録された指紋と同一であると判定されるまでの保管仮置状態を表す保管表示手段を前記装置本体に設けたことを特徴とする請求項１又は２に記載のロッカー装置。
【請求項６】
前記ケース盗難防止装置において、開錠されてから所定時間経過した場合に初期状態に戻ることを特徴とする請求項１に記載のロッカー装置。
【請求項７】
前記ケース盗難防止装置において、施錠された後に前記指紋入力機器に再び指紋が入力され前記指紋判定処理回路で指紋登録された指紋と同一であると判定されるまで、所定時間経過若しくは所定時刻になった場合に初期状態に戻ることを特徴とする請求項１又は２に記載のロッカー装置。
【請求項８】
施錠された後に前記指紋入力機器に再び指紋が入力され前記指紋判定処理回路で指紋登録された指紋と同一であると判定されるまでの保管仮置状態を表す保管表示手段を前記装置本体に設けたことを特徴とする請求項３又は４に記載のケース盗難防止装置。
【請求項９】
前記ケース盗難防止装置において、開錠されてから所定時間経過した場合に初期状態に戻ることを特徴とする請求項３に記載のケース盗難防止装置。
【請求項１０】
前記ケース盗難防止装置において、施錠された後に前記指紋入力機器に再び指紋が入力され前記指紋判定処理回路で指紋登録された指紋と同一であると判定されるまで、所定時間経過若しくは所定時刻になった場合に初期状態に戻ることを特徴とする請求項３又は４に記載のケース盗難防止装置。
【請求項１１】
前記ケース盗難防止装置において、前記装置本体が略半円柱状の形状を呈するものであることを特徴とする請求項３又は４に記載のケース盗難防止装置。
【考案の詳細な説明】
【技術分野】
【０００１】
本考案は、空港などでスーツケース等手荷物を一時的に仮置きする場合のロッカー装置およびケース盗難防止装置に関するものである。
【背景技術】
【０００２】
空港においてスーツケースなどの大きな手荷物を仮置保管するニーズがある。特に、帰国時の入国審査が終わり、ターンテーブルからスーツケースを受け取った後に、荷物検査前にトイレに行く場合や何かを探し回る場合に、スーツケースを仮置保管したいというものである。家族旅行やグループ旅行の場合は、トイレに行く場合など自分のスーツケースを家族や友達に見てもらえるが、個人での旅行の場合は人に頼むわけにもいかない。
【０００３】
ロッカーを利用するというような仮置保管方法も考えられるが、スーツケースは大きく設置スペースやロッカーサイズの問題がある。また、トイレにいく間など非常に短時間の仮置保管である場合が多く、いちいちローカーに収納するというのは煩雑にすぎる。また、ロッカー鍵を使用するのでは鍵の紛失管理が煩雑となる。更に、トイレに行きたくなった場合は時間を要するような施錠は受入れ難く、ロッカーへの収納やロッカーの施錠といった手間の時間も問題である。
この他、スーツケースのような大きなものでなく、銭湯や公共プールなどにおいて手荷物や衣類などを仮収納する場合、ロッカー鍵を使用する方法は鍵の保管面から問題がある。
【０００４】
また、空港・銭湯や公共プールなどで物としての鍵を利用して施錠／開錠する場合、不特定多数の方が利用することもあって鍵の紛失・盗難が少なからず存在する。物としての鍵を利用する代わりに暗証番号などを入力させる方法もあるが、空港・銭湯や公共プールなどのオープンな場所では、ハウジングカバーを設けたとしても盗み見などによる盗難が発生する恐れがある。従って、鍵や暗証番号の入力以外による利用者に負担のない施錠／開錠方法が求められている。
【０００５】
一方で、本考案者は、スーツケースをロッカーへ収納する代わりに、スーツケースの把持部である持ち手部分に、ワイヤーを挿通して仮置保管する方法が考えた。例えば壁からワイヤー部分を引き出し、スーツケースの持ち手に挿通して、同様に壁に取付けられた錠本体に錠止させるものである。これに関連する技術としては、キャリアケースとワイヤー錠が一体化されたものが知られている（例えば、特許文献１）。
【０００６】
【特許文献１】特開平７−２３２６７７号公報
【考案の開示】
【考案が解決しようとする課題】
【０００７】
考案は、上述したようなスーツケースなどの手荷物の持ち手などにロッカー装置やワイヤーを挿通して仮置保管する装置を用い、かつ、鍵や暗証番号の入力以外による施錠／開錠方法を採用して、空港・銭湯や公共プールなどで利用者の時間面や操作面の利便性を高めるケース盗難防止装置を提供することを目的とする。
【課題を解決するための手段】
【０００８】
上記目的を達成するため、本考案のロッカー装置は、壁面に固定可能なロッカー装置本体に錠本体と指紋入力機器と指紋判定処理回路が設けられ、初期状態が施錠された状態であり、前記指紋入力機器に指紋が入力され前記指紋判定処理回路で指紋が認識された場合に開錠されると同時に指紋登録され、施錠された後に前記指紋入力機器に再び指紋が入力され前記指紋判定処理回路で指紋登録された指紋と同一であると判定された場合に開錠されることを特徴とする。
【０００９】
ここで初期状態が施錠された状態とは、ロッカー装置を利用する前の状態が錠本体に鍵がかかっていることを意味する。ロッカー装置本体の指紋入力機器に指紋が入力され、指紋判定処理回路で指紋が認識された場合に、開錠されると同時に指紋登録される。
そして、衣類などの手荷物をローカー装置内に収納して、扉をしめると自動的に施錠される。その後に、指紋入力機器に再び指紋が入力され、指紋判定処理回路で指紋登録された指紋と同一であると判定された場合に、錠本体が開放され（開錠）、扉が開いて、手荷物を持ち出せるようになる。
【００１０】
また、本考案のロッカー装置は、壁面に固定可能な装置本体に錠本体と指紋入力機器と指紋判定処理回路が設けられ、初期状態が開錠された状態であり、前記指紋入力機器に指紋が入力され前記指紋判定処理回路で指紋が認識された場合に指紋登録され、施錠された後に前記指紋入力機器に再び指紋が入力され前記指紋判定処理回路で指紋登録された指紋と同一であると判定された場合に開錠されることを特徴とする。
【００１１】
先に説明したロッカー装置と異なる点は、初期状態が開錠された状態である点と、指紋入力機器に指紋が入力され指紋判定処理回路で指紋が認識された場合に指紋登録されるという点である。
【００１２】
また、本考案のケース盗難防止装置は、壁面に固定可能な装置本体に錠本体と指紋入力機器と指紋判定処理回路が設けられ、前記錠本体に錠止されるワイヤー端子を備えたワイヤーからなるワイヤー錠が、前記装置本体内の巻上げ機構により巻き上げられ前記装置本体に収納されており、初期状態が施錠された状態であり、前記指紋入力機器に指紋が入力され前記指紋判定処理回路で指紋が認識された場合に開錠されると同時に指紋登録され、施錠された後に前記指紋入力機器に再び指紋が入力され前記指紋判定処理回路で指紋登録された指紋と同一であると判定された場合に開錠されることを特徴とする。
【００１３】
本明細書において、ケースは旅行に持参するようなスーツケースのみならず、通常のカバンやバックなども含まれる。但し、スーツケースのように単体で開口部を施錠できるものを対象としている。
また、ワイヤーは例えばステンレス製などの金属線である。チェーンなどの形態にしても構わない。
【００１４】
壁面に固定可能な装置本体には、錠本体と指紋入力機器と指紋判定処理回路が設けられ、錠本体に錠止されるワイヤー端子を備えたワイヤーからなるワイヤー錠が装置本体内の巻上げ機構により巻き上げられ装置本体に収納されている。この装置本体には、１乃至は複数の錠本体とワイヤー錠と指紋入力機器が取付けられている。例えば、空港のトイレ入り口付近の壁面に帯体のように装置本体が形成され、所定間隔をおいて錠本体とワイヤー錠と指紋入力機器が存在することで、多数の利用者が同時に使用可能となる。ここで、指紋判定処理回路は共通とすることが可能である。
錠はフックのようなものでも、差込のようなものでもよい。錠本体にワイヤー端子が錠止されることで施錠され、錠本体からワイヤー端子が開放されることで開錠される。
【００１５】
ここで初期状態が施錠された状態とは、装置を利用する前の状態が錠本体にワイヤー端子が錠止（施錠）されていることを意味する。装置本体の指紋入力機器に指紋が入力され、指紋判定処理回路で指紋が認識された場合に、開錠されると同時に指紋登録される。
そして、スーツケースなどの手荷物の持ち手などにワイヤーを挿通して、錠本体にワイヤー端子が錠止され施錠された後に、指紋入力機器に再び指紋が入力され、指紋判定処理回路で指紋登録された指紋と同一であると判定された場合に、錠本体からワイヤー端子が開放され（開錠）、スーツケースなどの手荷物を持ち出せるようになる。
【００１６】
次に、本考案の他のケース盗難防止装置は、壁面に固定可能な装置本体に錠本体と指紋入力機器と指紋判定処理回路が設けられ、前記錠本体に錠止されるワイヤー端子を備えたワイヤーからなるワイヤー錠が、前記装置本体内の巻上げ機構により巻き上げられ前記装置本体に収納されており、初期状態が開錠された状態であり、前記指紋入力機器に指紋が入力され前記指紋判定処理回路で指紋が認識された場合に指紋登録され、施錠された後に前記指紋入力機器に再び指紋が入力され前記指紋判定処理回路で指紋登録された指紋と同一であると判定された場合に開錠されることを特徴とすることを特徴とする。
【００１７】
先に説明したケース盗難防止装置と異なる点は、初期状態が開錠された状態である点と、指紋入力機器に指紋が入力され指紋判定処理回路で指紋が認識された場合に指紋登録されるという点である。
【００１８】
ここで、上記の本考案のロッカー装置若しくはケース盗難防止装置において、施錠された後に前記指紋入力機器に再び指紋が入力され前記指紋判定処理回路で指紋登録された指紋と同一であると判定されるまでの保管仮置状態を表す保管表示手段を前記装置本体に設けることが好ましい。
【００１９】
保管仮置状態を表す保管表示手段を設けることで、施錠が行われたか否かを視覚的に利用者に告知できるため、利用者が間違いなく操作できたということの安心感を与えることと、誤操作による未施錠のままケースが放置されるという事態を防ぐことができる。
この保管表示手段は、ＬＥＤ（Light Emitting Diode）や表示窓の点灯などである。
【００２０】
次に、上記の本考案のロッカー装置若しくはケース盗難防止装置において、開錠されてから所定時間経過した場合に初期状態に戻ることが好ましい。
これは通常経験的に開錠されてからスーツケースの持ち手部分にワイヤーを挿通する時間は数１０秒もあれば十分である。もし、開錠されてから所定時間経過した場合や、新たに別の指紋が入力された場合は、すでに指紋を入力したものが立ち去ったか、スーツケースを仮置保管する要求がなくなったと状況を理解すべきである。そのため、開錠されてから所定時間経過した場合に初期状態に戻ることにしたものである。
【００２１】
次に、上記の本考案のロッカー装置若しくはケース盗難防止装置において、施錠された後に前記指紋入力機器に再び指紋が入力され前記指紋判定処理回路で指紋登録された指紋と同一であると判定されるまで、所定時間経過若しくは所定時刻になった場合に初期状態に戻ることが好ましい。
これは施錠された後、長時間放置された場合に、初期状態にリセットされるものである。状況としては、例えば、スーツケースを仮置保管しないで単に施錠した場合や仮置保管したまま誤って置き忘れた場合などが想定される。
この他、ケース盗難防止装置の管理者による強制開錠操作（鍵や暗証番号もしくは指紋入力）によっても初期状態にリセットされる。
また、ケース盗難防止装置の装置本体が略半円柱状の形状を呈するものであることが好ましい。装置本体が略半円柱状の形状を呈するものとし、指紋入力機器を略半円柱状の上側面に設けることで、利用者の指紋入力操作がスムーズに行える利点がある。
【考案の効果】
【００２２】
以上説明した如く、本考案のロッカー装置およびケース盗難防止装置は、指紋入力機器によりワイヤー錠などの開錠が行えるので、空港・銭湯や公共プールなどで利用者の時間面や操作面の利便性を高めるといった効果がある。
【考案を実施するための最良の形態】
【００２３】
以下、本考案のケース盗難防止装置の実施例について、以下、図面を参照しながら詳細に説明していく。
【実施例１】
【００２４】
図１は、実施例１のケース盗難防止装置の外観図（正面から眺めた様子）を示している。  実施例１のケース盗難防止装置は、壁面に固定可能な略半円柱状の形状を呈する装置本体２に、錠本体３と指紋入力機器４とが設けられている。また、装置本体２には指紋判定処理回路（図示せず）が設けられている。また、錠本体３に錠止されるワイヤー端子を備えたワイヤー５からなるワイヤー錠６が、装置本体２内の巻上げ機構により巻き上げられ装置本体２に収納されている。
図２は、実施例１のケース盗難防止装置の外観図（横から眺めた様子）を示している。略半円柱状の形状を呈する装置本体２の平面部分が壁面２０に固定されている。一端が錠本体に固定されたワイヤー５が、スーツケース１０の持ち手１２に挿通され、他端にあるワイヤー錠６が錠本体３に係合されることで、スーツケース１０の持ち去りなどの盗難を防止する。
【００２５】
次に、図３および図４を用いて、実施例１のケース盗難防止装置の使用方法を説明する。図３は、実施例１のケース盗難防止装置（初期状態が施錠）の使用フロー図を示している。
先ず、初期状態が施錠されている場合、指紋入力（ステップＳ１０１）を行うと、ワイヤー錠がはずれ開錠し、指紋登録が行える状態となる（ステップＳ１０２）。そこで、指紋登録を行い、ケースの持ち手にワイヤーを挿通する（ステップＳ１０３）。そして錠本体へワイヤー端子を錠止させ施錠を行う（ステップＳ１０５）。
もし、指紋登録を行ってから、何かの理由でケースの持ち手にワイヤーを挿通せずに立ち去った場合など、施錠を行うまでに一定時間（例えば、１分）が経過した場合は処理をキャンセルする（ステップＳ１０４）。
錠本体へワイヤー端子を錠止させ施錠を行う処理（ステップＳ１０５）の後、次に指紋入力されるまで仮置保管状態となる。指紋入力されると（ステップＳ１０７）、指紋が同一か否かを判定する（ステップＳ１０８）。ここで指紋が同一の場合には開錠する（ステップＳ１０９）。しかし、指紋が同一でない場合には開錠せず、指紋入力を受ける状態となる。
また、仮置保管状態のまま一定時間が経過もしくは所定条件（例えば、２日間経過した後日付けが変更）が成立した場合は処理をキャンセルする（ステップＳ１０６）。
【００２６】
次に、図４の実施例１のケース盗難防止装置（初期状態が開錠）の使用フロー図について説明する。
先ず、初期状態が開錠されている場合、指紋入力（ステップＳ２０１）を行うと、指紋登録が行える状態となる（ステップＳ２０２）。そこで、指紋登録を行い、ケースの持ち手にワイヤーを挿通する（ステップＳ２０３）。そして錠本体へワイヤー端子を錠止させ施錠を行う（ステップＳ２０５）。
もし、指紋登録を行ってから、何かの理由でケースの持ち手にワイヤーを挿通せずに立ち去った場合など、施錠を行うまでに一定時間（例えば、１分）が経過した場合は処理をキャンセルする（ステップＳ２０４）。
錠本体へワイヤー端子を錠止させ施錠を行う処理（ステップＳ２０５）の後、次に指紋入力されるまで仮置保管状態となる。指紋入力されると（ステップＳ２０７）、指紋が同一か否かを判定する（ステップＳ２０８）。ここで指紋が同一の場合には開錠する（ステップＳ２０９）。しかし、指紋が同一でない場合には開錠せず、指紋入力を受ける状態となる。
また、仮置保管状態のまま一定時間が経過もしくは所定条件（例えば、２日間経過した後日付けが変更）が成立した場合は処理をキャンセルする（ステップＳ２０６）。
【００２７】
図５は、実施例１のケース盗難防止装置の機能ブロック図を示している。
指紋入力機器から指紋画像データが、指紋判定処理回路に送られ、施錠／開錠のＯＮ／ＯＦＦ信号が錠本体に送られる。
これらの一連のデータ処理は、装置本体内の回路基板で実現する。指紋判定処理回路は、指紋画像入力仮と指紋画像特徴点抽出回路と指紋画像特徴点記憶回路と判定ロジック回路から構成されるが、指紋判定処理ロジックは公知技術を適用できるため、本明細書において詳細説明は割愛する。
【実施例２】
【００２８】
図６は、実施例２のロッカー装置の外観図を示している。これは、銭湯や公共プールの脱衣所などのローカーに指紋入力機器を取付けたものである。処理フローは、図３、図４に示した処理フロー（ワイヤー錠＋錠本体が、ロッカーの錠に置き換わる）と同様であるため割愛する。
【産業上の利用可能性】
【００２９】
本考案のロッカー装置およびケース盗難防止装置は、空港・銭湯や公共プールなどで、衣類などの手荷物もしくはスーツケース等の比較的大きな所持品を一時的に仮置きする場合のロッカー装置や盗難防止装置として有用である。
【図面の簡単な説明】
【００３０】
【図１】実施例１のケース盗難防止装置の外観図（正面から眺めた様子）
【図２】実施例１のケース盗難防止装置の外観図（横から眺めた様子）
【図３】実施例１のケース盗難防止装置（初期状態が施錠）の使用フロー図
【図４】実施例１のケース盗難防止装置（初期状態が開錠）の使用フロー図
【図５】実施例１のケース盗難防止装置の機能ブロック図
【図６】実施例２のロッカー装置の外観図
【符号の説明】
【００３１】
１  ケース盗難防止装置
２  装置本体
３  錠本体
４  指紋入力機器
５  ワイヤー
６  ワイヤー錠
１０  スーツケース
１１  キャスター
１２  持ち手
２０  壁面
【図３】
0003129169.tif 000003
【図４】
0003129169.tif 000004
【図５】
0003129169.tif 000005
【図６】
0003129169.tif 000006
【図１】
0003129169.tif 000007
【図２】
0003129169.tif 000008